(57)【要約】【課題】操作者が望むテキスト入力態様に対応して、容易にモード設定を行うことができる印刷処理プログラムを提供する。【解決手段】編集画面表示手順の後に実行される設定表示手順では、上記第１モードの機能を表す第１モード設定画像、及び、第１モードを設定するための第１モードラジオボタン、上記第２モードの機能を表す第２モード設定画像、及び、第２モードを設定するための第２モードラジオボタン、上記第３モードの機能を表す第３モード設定画像、及び、第３モードを設定するための第３モードラジオボタン、上記第４モードの機能を表す第４モード設定画像、及び、第４モードを設定するための第４モードラジオボタン、上記第５モードの機能を表す第５モード設定画像、及び、第５モードを設定するための第５モードラジオボタン、を含む、モード別設定用画像が表示される。【選択図】図１４
2019053586.tif 000002
【特許請求の範囲】
【請求項１】
テープ幅方向及びテープ長さ方向を備えた被印字テープに印字を形成して印字ラベルを作成する印字ラベル作成装置に接続可能に構成され、表示手段と操作手段と演算手段とを有する編集装置の前記演算手段に対し、
前記表示手段を制御し、前記印字ラベルの作成時に前記被印字テープに配置するテキストオブジェクトを編集する編集画面を表示する編集画面表示手順と、
前記表示手段を制御し、前記操作手段を介し順次入力されるテキストに応じて、前記編集画面に表示される前記テキストオブジェクトの前記テープ長さ方向の寸法及び前記テープ幅方向の寸法をともに伸縮させる第１モードの機能を表す第１モード設定画像、及び、前記第１モードを設定するための第１モードラジオボタン；前記操作手段を介し順次入力されるテキストに応じて、前記編集画面に表示される前記テキストオブジェクトの前記テープ長さ方向の寸法を固定しつつ前記テープ幅方向の寸法を伸縮させる第２モードの機能を表す第２モード設定画像、及び、前記第２モードを設定するための第２モードラジオボタン；前記操作手段を介し順次入力されるテキストに応じて、前記編集画面に表示される前記テキストオブジェクトの前記テープ幅方向の寸法を固定しつつ前記テープ長さ方向の寸法を伸縮させる第３モードの機能を表す第３モード設定画像、及び、前記第３モードを設定するための第３モードラジオボタン；前記編集画面に表示される前記テキストオブジェクトの前記テープ幅方向の寸法及び前記テープ長さ方向の寸法を固定する第４モードの機能を表す第４モード設定画像、及び、前記第４モードを設定するための第４モードラジオボタン；前記編集画面に表示される前記テキストオブジェクトの前記テープ幅方向の寸法及び前記テープ長さ方向の寸法を固定しつつ、前記操作手段を介し順次入力されるテキストの長さに応じて当該入力されるテキストを前記テキストオブジェクト内で折り返す第５モードの機能を表す第５モード設定画像、及び、前記第５モードを設定するための第５モードラジオボタン；を含むモード別設定用画像を表示する設定表示手順と、
を実行させるための、印刷処理プログラム。
【請求項２】
請求項１記載の印刷処理プログラムにおいて、
前記編集画面表示手順では、
前記編集画面に、前記テキストオブジェクトの前記テープ長さ方向の寸法を伸縮させる第１機能を実行させるための第１ラジオボタンと、前記テキストオブジェクトの前記テープ幅方向の寸法を伸縮させる第２機能を実行させるための第２ラジオボタンと、前記第１ラジオボタン及び前記第２ラジオボタンがどちらもチェックされていないときに、前記操作手段を介し順次入力されるテキストの長さに応じて当該入力されるテキストを前記テキストオブジェクト内で折り返す第３機能を実行させるための第３ラジオボタンと、が表示され、
前記設定表示手順では、
前記編集画面に表示された標識に対し前記操作手段を介した操作がなされることによって、前記モード別設定用画像がポップアップ表示される
ことを特徴とする印刷処理プログラム。
【請求項３】
請求項２記載の印刷処理プログラムにおいて、
前記編集画面表示手順で表示された前記編集画面の前記第１〜第３ラジオボタンのうち前記第１ラジオボタンのみにチェックが入っている状態では、前記設定表示手順で前記ポップアップ表示された前記モード別設定用画像では、前記第３モードラジオボタンにチェックが入った状態で表示され、
前記編集画面表示手順で表示された前記編集画面の前記第１〜第３ラジオボタンのうち前記第２ラジオボタンのみにチェックが入っている状態では、前記設定表示手順で前記ポップアップ表示された前記モード別設定用画像では、前記第２モードラジオボタンにチェックが入った状態で表示され、
前記編集画面表示手順で表示された前記編集画面の前記第１〜第３ラジオボタンのうち前記第１ラジオボタン及び前記第２ラジオボタンのみにチェックが入っている状態では、前記設定表示手順で前記ポップアップ表示された前記モード別設定用画像では、前記第１モードラジオボタンにチェックが入った状態で表示され、
前記編集画面表示手順で表示された前記編集画面の前記第１〜第３ラジオボタンのうち前記第３ラジオボタンのみにチェックが入っている状態では、前記設定表示手順で前記ポップアップ表示された前記モード別設定用画像では、前記第５モードラジオボタンにチェックが入った状態で表示され、
前記編集画面表示手順で表示された前記編集画面の前記第１〜第３ラジオボタンのすべてにチェックが入っていない状態では、前記設定表示手順で前記ポップアップ表示された前記モード別設定用画像では、前記第４モードラジオボタンにチェックが入った状態で表示される
ことを特徴とする印刷処理プログラム。
【請求項４】
請求項３記載の印刷処理プログラムにおいて、
前記設定表示手順で前記モード別設定用画像がポップアップ表示された後、表示されている前記編集画面の前記第１〜第３ラジオボタンのうち少なくとも１つに対するチェック状態が変動した場合、それに対応して当該一括用設定画像における前記第１〜第５モードラジオボタンのいずれかに対するチェック状態が変動する
ことを特徴とする印刷処理プログラム。
【請求項５】
請求項３記載の印刷処理プログラムにおいて、
前記設定表示手順で前記モード別設定用画像がポップアップ表示された後、表示されている当該一括用設定画像における前記第１〜第５モードラジオボタンのいずれかに対するチェック状態が変動した場合、それに対応して前記編集画面の前記第１〜第３ラジオボタンのうち少なくとも１つに対するチェック状態が変動する
ことを特徴とする印刷処理プログラム。
【請求項６】
請求項２乃至請求項５のいずれか１項記載の印刷処理プログラムにおいて、
前記設定表示手順では、
前記編集画面の前記第１〜第３ラジオボタンと重ならない位置に、前記モード別設定用画像がポップアップ表示される
ことを特徴とする印刷処理プログラム。
【請求項７】
請求項１乃至請求項６のいずれか１項記載の印刷処理プログラムにおいて、
前記演算手段に対し、さらに、
前記設定表示手順で前記モード別設定用画像が表示された状態で、前記操作手段を介し順次入力されるテキストの長さが予め定めた所定の制限値に達したら、それ以降、当該モード別設定用画像の前記第１〜第５モードラジオボタンのうち前記第１モードラジオボタン及び前記第３モードラジオボタンをチェックできないようにするチェック制限表示手順をさらに実行させる
ことを特徴とする印刷処理プログラム。
【請求項８】
請求項１乃至請求項６のいずれか１項記載の印刷処理プログラムにおいて、
前記演算手段に対し、さらに、
前記設定表示手順で前記モード別設定用画像が表示された状態で、前記操作手段を介し順次入力されるテキストの長さが予め定めた所定の制限値に達したら、それ以降、当該テキストの表示フォントサイズを小さくするサイズ低減表示手順をさらに実行させる
ことを特徴とする印刷処理プログラム。
【発明の詳細な説明】
【技術分野】
【０００１】
本発明は、印刷処理プログラムに係わり、特に、印字ラベル用のテキスト作成の際に利用される編集画面における印刷処理プログラムに関する。
【背景技術】
【０００２】
従来から、テープ幅方向及びテープ長さ方向を備えた被印字テープに印字を形成して印字ラベルを作成する印字ラベル作成装置には、印字ラベル用のテキスト作成の際に利用される編集画面を表示手段に表示可能な編集装置が接続されたものがある（例えば、特許文献１参照）。
【０００３】
この先行技術文献では、編集装置の表示手段に、操作者が選択設定することのできる複数のラジオ（チェックボックス）が表示され、例えば、その一つを選択すると、テキストの長さに応じてテープ長さ方向の寸法を伸縮させることができ、他の一つを選択すると、テキストの長さに関係なくテキストオブジェクトのテープ長さ方向の寸法を固定することができるようになっている。
【０００４】
したがって、このような先行文献に開示の技術を拡張して、例えば、テープ長さ方向の寸法だけでなく、テープ高さ方向の寸法を含めたテキストオブジェクトの表示状態を変化させるために、３つ以上のラジオを用いた機能設定を可能とすることも考えられる。
【先行技術文献】
【特許文献】
【０００５】
【特許文献１】特開２０１４−８８０３３号公報
【発明の概要】
【発明が解決しようとする課題】
【０００６】
しかしながら、上述したような３つ以上のラジオを用いた機能設定による手法では、操作者は、各モードにおいて順次テキストを入力していったときに、テキストオブジェクトがどのように変化していくのかといったテキスト入力態様を直感的に理解することができなかった。
【０００７】
本発明の目的は、操作者が望むテキスト入力態様に対応して、容易にモード設定を行うことができる印刷処理プログラムを提供することにある。
【課題を解決するための手段】
【０００８】
上記目的を達成するために、本願発明は、テープ幅方向及びテープ長さ方向を備えた被印字テープに印字を形成して印字ラベルを作成する印字ラベル作成装置に接続可能に構成され、表示手段と操作手段と演算手段とを有する編集装置の前記演算手段に対し、前記表示手段を制御し、前記印字ラベルの作成時に前記被印字テープに配置するテキストオブジェクトを編集する編集画面を表示する編集画面表示手順と、前記表示手段を制御し、前記操作手段を介し順次入力されるテキストに応じて、前記編集画面に表示される前記テキストオブジェクトの前記テープ長さ方向の寸法及び前記テープ幅方向の寸法をともに伸縮させる第１モードの機能を表す第１モード設定画像、及び、前記第１モードを設定するための第１モードラジオボタン；前記操作手段を介し順次入力されるテキストに応じて、前記編集画面に表示される前記テキストオブジェクトの前記テープ長さ方向の寸法を固定しつつ前記テープ幅方向の寸法を伸縮させる第２モードの機能を表す第２モード設定画像、及び、前記第２モードを設定するための第２モードラジオボタン；前記操作手段を介し順次入力されるテキストに応じて、前記編集画面に表示される前記テキストオブジェクトの前記テープ幅方向の寸法を固定しつつ前記テープ長さ方向の寸法を伸縮させる第３モードの機能を表す第３モード設定画像、及び、前記第３モードを設定するための第３モードラジオボタン；前記編集画面に表示される前記テキストオブジェクトの前記テープ幅方向の寸法及び前記テープ長さ方向の寸法を固定する第４モードの機能を表す第４モード設定画像、及び、前記第４モードを設定するための第４モードラジオボタン；前記編集画面に表示される前記テキストオブジェクトの前記テープ幅方向の寸法及び前記テープ長さ方向の寸法を固定しつつ、操作手段を介し順次入力されるテキストの長さに応じて当該入力される前記テキストを前記テキストオブジェクト内で折り返す第５モードの機能を表す第５モード設定画像、及び、前記第５モードを設定するための第５モードラジオボタン；を含むモード別設定用画像を表示する設定表示手順と、を実行させる、ものである。
【０００９】
本願発明の編集装置は、被印字テープに印字を形成して印字ラベルを作成する印字ラベル作成装置に接続されて用いられる。編集装置の演算手段により印刷処理プログラムが実行されると、まず、編集画面表示手順で、被印字テープに配置するテキストオブジェクトを編集するための編集画面が表示手段に表示される。操作者が編集画面で適宜の編集操作を行って所望のテキストオブジェクトを作成することで、その編集操作を反映した印字データが印字ラベル作成装置へ送信され、当該印字データに対応する印字内容を備えた印字ラベルが作成される。
【００１０】
このとき、本願発明では、上記テキストオブジェクトを作成するために操作手段を介しテキストを順次入力するときの表示モードとして、
（１）上記順次入力されるテキストに応じて、テキストオブジェクトのテープ長さ方向の寸法及びテープ幅方向の寸法をともに伸縮させる第１モード、
（２）上記順次入力されるテキストに応じて、テキストオブジェクトのテープ長さ方向の寸法を固定しつつ、テープ幅方向の寸法を伸縮させる第２モード、
（３）上記順次入力されるテキストに応じて、テキストオブジェクトのテープ幅方向の寸法を固定しつつ、テープ長さ方向の寸法を伸縮させる第３モード、
（４）テキストオブジェクトのテープ幅方向の寸法及びテープ長さ方向の寸法をともに固定する第４モード、
（５）上記順次入力されるテキストの長さに応じて、テキストオブジェクトのテープ幅方向の寸法及びテープ長さ方向の寸法をともに固定しつつ、入力されたテキストをテキストオブジェクト内で折り返す第５モード、
の５つが設けられている。
【００１１】
上記編集画面表示手順の後に実行される設定表示手順では、上記第１モードの機能を表す第１モード設定画像、及び、第１モードを設定するための第１モードラジオボタン、上記第２モードの機能を表す第２モード設定画像、及び、第２モードを設定するための第２モードラジオボタン、上記第３モードの機能を表す第３モード設定画像、及び、第３モードを設定するための第３モードラジオボタン、上記第４モードの機能を表す第４モード設定画像、及び、第４モードを設定するための第４モードラジオボタン、上記第５モードの機能を表す第５モード設定画像、及び、第５モードを設定するための第５モードラジオボタン、を含む、モード別設定用画像が表示される。
【００１２】
これにより、操作者は、ラジオボタンで選択設定可能な各モードにおいて順次テキストを入力していったときにテキストオブジェクトがどのように変化していくかを、対応するモード設定画像によって直感的に理解することができる。この結果、操作者が望むテキスト入力態様に対応して、容易にモード設定を行うことができる。
【発明の効果】
【００１３】
本発明によれば、操作者が望むテキスト入力態様に対応して、容易にモード設定を行うことができる。
【図面の簡単な説明】
【００１４】
【図１】本発明の一実施形態の印刷処理プログラムを実行する印刷システムの概略を表すシステム構成図である。
【図２】印刷システムの各部詳細機能を表す機能ブロック図である。
【図３】表示部に表示される設定画面（テキスト入力前の初期画面）の表示例の説明図である。
【図４】第１ラジオボタンのみを設定している場合（第１機能）のテキスト入力例（ラベル外形枠にテキストが収まっている状態）の表示例の説明図である。
【図５】第１ラジオボタンのみを設定している場合（第１機能）のテキストはみ出し例（ラベル外形枠にテキストが収まっていない状態）の表示例の説明図である。
【図６】第２ラジオボタンのみを設定している場合（第２機能）のテキスト入力例（ラベル外形枠にテキストが収まっている状態）の表示例の説明図である。
【図７】第２ラジオボタンのみを設定している場合（第２機能）のテキストはみ出し例（ラベル外形枠にテキストが収まっていない状態）の表示例の説明図である。
【図８】第３ラジオボタンのみを設定している場合（第３機能）のテキスト入力例（ラベル外形枠にテキストが収まっている状態）の表示例の説明図である。
【図９】第３ラジオボタンのみを設定している場合（第３機能）のテキスト改行例（ラベル外形枠にテキストが収まっている状態）の表示例の説明図である。
【図１０】第１，第２ラジオボタンの両方を設定している場合（第４機能）のテキスト入力例（ラベル外形枠にテキストが収まっている状態）の表示例の説明図である。
【図１１】第１，第２ラジオボタンの両方を設定している場合（第４機能）のテキストはみ出し例（ラベル外形枠にテキストが収まっていない状態）の表示例の説明図である。
【図１２】何れのラジオボタンも設定していない場合（第５機能）のテキスト入力例（ラベル外形枠にテキストが収まっている状態）の表示例の説明図である。
【図１３】何れのラジオボタンも設定していない場合（第５機能）のテキストはみ出し例（ラベル外形枠にテキストが収まっていない状態）の表示例の説明図である。
【図１４】表示部にモード別設定用画像をポップアップ表示した状態の表示例の説明図である。
【図１５】第１モード（第４機能）を設定している場合のテキスト入力例（ラベル外形枠にテキストが収まっている状態）の表示例の説明図である。
【図１６】第１モード（第４機能）を設定している場合のテキストはみ出し例（ラベル外形枠にテキストが収まっていない状態）の表示例の説明図である。
【図１７】第２モード（第２機能）を設定している場合のテキスト入力例（ラベル外形枠にテキストが収まっている状態）の表示例の説明図である。
【図１８】第２モード（第２機能）を設定している場合のテキストはみ出し例（ラベル外形枠にテキストが収まっていない状態）の表示例の説明図である。
【図１９】第３モード（第１機能）を設定している場合のテキスト入力例（ラベル外形枠にテキストが収まっている状態）の表示例の説明図である。
【図２０】第３モード（第１機能）を設定している場合のテキストはみ出し例（ラベル外形枠にテキストが収まっていない状態）の表示例の説明図である。
【図２１】第４モード（第５機能）を設定している場合のテキスト入力例（ラベル外形枠にテキストが収まっている状態）の表示例の説明図である。
【図２２】第４モード（第５機能）を設定している場合のテキストフォントを小さくした例（ラベル外形枠にテキストが収まっている状態）の表示例の説明図である。
【図２３】第５モード（第３機能）を設定している場合のテキスト入力例（ラベル外形枠にテキストが収まっている状態）の表示例の説明図である。
【図２４】第５モード（第３機能）を設定している場合のテキスト改行例（ラベル外形枠にテキストが収まっている状態）の表示例の説明図である。
【図２５】コントロール欄を上下４段とした表示例の説明図である。
【図２６】テキスト入力状態によってモード別設定用画像のポップアップ表示状態を変更した表示例の説明図である。
【図２７】テキスト入力状態によってモード別設定用画像のポップアップ表示状態を変更しない表示例の説明図である。
【図２８】演算手段が実行するモード別設定用画像処理手順の一例を示すフロー図である。
【発明を実施するための形態】
【００１５】
以下、本発明の一実施の形態を図面を参照しつつ説明する。
【００１６】
＜システム概略構成＞
本実施形態の印刷処理プログラムを実行する印刷システム全体の構成を図１及び図２により説明する。図１において、印刷システム１は、編集装置としての（複数の）操作端末２と、印字ラベル作成装置としての（複数の）ラベルプリンタ３と、を有している。（複数の）操作端末２と（複数の）ラベルプリンタ３とは、適宜の有線・無線接続（例えばローカルエリアネットワークなどの通信ネットワークや、ＵＳＢケーブルを用いた接続等）ＮＷを介して相互通信可能に接続されている。
【００１７】
＜操作端末２の基本機能＞
操作端末２には、例えば、ノートブック型或いはデスクトップ型と称される、汎用のパーソナルコンピュータを用いることができる。操作端末２は、操作者の操作によって入力された、ラベルプリンタ３によって印刷するための、所望のテキストの入力等の内容編集及び印字条件設定並びに印刷実行等の印刷操作に関する印字情報を含む各種情報を生成する。また、操作端末２は、有線・無線接続ＮＷに対して同一又は異なる複数機種のラベルプリンタ３を接続した場合、それら複数機種のラベルプリンタ３のいずれか１つを選択的に有線・無線接続ＮＷを介して操作可能である。
【００１８】
＜ラベルプリンタ３の基本機能＞
ラベルプリンタ３は、操作者による操作に基づいて操作端末２が生成した、印字情報を含む各種情報に応じて印字ラベル（後述）を作成する。このとき、ラベルプリンタ３は、当該ラベルプリンタ３に装着されたテープロール又はテープカートリッジ（後述）に巻回されている所定テープ幅の被印字テープ（後述）を用いて任意のテープ長さの印字ラベル（後述）を作成可能としている。ラベルプリンタ３は、被印字テープの種類に対応した複数種のテープロール又はテープカートリッジを着脱交換可能としている。すなわち、操作者は、所定種類のテープ幅の被印字テープを任意に選択・利用することができる。なお、テープカートリッジは、例えば、筐体等にテープロールを収納した部材（商品）である。したがって、以下においては、テープカートリッジのみを用いた場合として説明するが、テープカートリッジへの置き換えも可能である。
【００１９】
＜操作端末２の基本構成＞
操作端末２は、図２に示すように、ＣＰＵ（演算手段）１２と、例えば、ＲＡＭやＲＯＭ等からなるメモリ１３と、操作者によって操作される操作部（操作手段）１４と、モニタ等の表示部（表示手段）１７と、ラベルプリンタ３との間で各種情報の送受信の制御を行う通信制御部１５と、各種のプログラム等を記憶する大容量記憶装置１６とを備えている。大容量記憶装置１６が記憶する各種のプログラム等については後述する。
【００２０】
ＣＰＵ１２は、メモリ１３としてのＲＡＭの一時記憶機能を利用しつつ、メモリ１３としてのＲＯＭや大容量記憶装置１６に予め記憶されたプログラムにしたがって、各種の処理やラベルプリンタ３との間で各種情報の送受信を処理する。
【００２１】
＜ラベルプリンタ３の基本構成＞
ラベルプリンタ３は、図２に示すように、被印字媒体としての被印字テープ２０３を巻回（本来は繰り出し可能に渦巻き状に巻回しているが、図では簡略化して同心円で図示している）したテープロール２０４を着脱可能としたテープロールホルダ部２１０と、テープロール２０４から繰り出された被印字テープ２０３に所望の印字を行う印字ヘッド２０５と、印字が終了した被印字テープ２０３を所定のテープ長さで切断して印字ラベルＬとするカッタ２０７と、印字ヘッド２０５に対向して設けられるとともに制御回路２０２により制御されてテープロール２０４から繰り出された被印字テープ２０３を搬送する搬送装置２０９と、を有する。制御回路２０２は、有線・無線接続ＮＷを介して操作端末２の通信制御部１５に接続するための通信制御部２０８と、接続されている。この結果、ラベルプリンタ３は、操作端末２と各種情報の送受信が可能となっている。
【００２２】
＜編集アプリケーション（印刷処理プログラム）について＞
本実施形態の印刷システム１において、操作端末２を操作する操作者は、大容量記憶装置１６が記憶した各種のプログラム等の一つとしての編集アプリケーション（印刷処理プログラム）を利用し、印字ラベルＬに印字する所望のテキストの入力等の内容編集及び印字条件設定並びに印刷実行等の印刷操作を行うことができる。
【００２３】
操作者が操作端末２で編集アプリケーションを起動すると、例えば、図３に示すような編集画面５０１が表示部１７に表示される。編集画面５０１には、画面上部に印字ラベルＬの各種作成用途別に表示された複数の操作アイコンを含む選択エリア５０２と、画面下部左側に印字ラベルＬのラベル寸法設定を含むラベル寸法設定エリア５０３と、画面下部中央に縦横の目盛り及び目盛りに対応してラベル寸法設定したラベル寸法のラベル外形枠Ｌ’（及びテキスト編集領域枠Ｔ）の表示を含む入力情報表示エリア５０４と、画面下部右側にテキストフォントに対する編集設定等を行うためのテキスト編集設定エリア５０５と、が表示される。なお、この編集画面５０１の表示以降の画面表示状態は、印字ラベルＬの作成時に被印字テープ２０３に配置するテキストオブジェクト（後述）を編集する画面に遷移する。したがって、この操作者が操作端末２で編集アプリケーションを起動することにより、ＣＰＵ１２が表示部１７に編集画面（初期画面）５０１を表示する手順が編集画面表示手順となる。
【００２４】
ところで、このようなラベルプリンタ３並びに操作端末２では、被印字テープ２０３の場合においては、「（テープ）幅」とは「（テープ）長さ」と直交する方向を意味する。一方、被印字テープ２０３に印字した後にカッタ２０７によって所定の「（テープ）長さ」で切断した印字ラベルＬの場合、例えば、「（テープ）長さ」方向に沿って横書きにテキスト印字した印字ラベルＬの場合では、「（テープ）長さ」は「（ラベル）幅」と称され、「（テープ）幅」は「（ラベル）高さ」と称される場合が多い。同様に、「（テープ）長さ」方向に沿って縦書きにテキスト印字した印字ラベルＬの場合では、「（テープ）長さ」は「（ラベル）高さ」と称され、「（テープ）幅」は「（ラベル）幅」と称される場合が多い。
【００２５】
そこで、以下においては、説明の便宜上、印字ラベルＬ（及びラベル外形枠Ｌ’）は、「テープ長さ」方向に沿って横書きにテキスト印字した場合として説明する。また、被印字テープ２０３及び印字ラベルＬ（及びラベル外形枠Ｌ’）の何れの場合であっても、二つの（縦横二辺の）方向については被印字テープ２０３の場合の呼称である「テープ長さ（＝ラベル幅）」及び「テープ幅（＝ラベル高さ）」で統一する。したがって、テープ長さは印字ラベルＬ（及びラベル外形枠Ｌ’）のラベル幅と同じ方向であり、テープ幅は印字ラベルＬ（及びラベル外形枠Ｌ’）のラベル高さと同じ方向となる。
【００２６】
なお、本実施の形態における図面上では表示を省略しているが、例えば、編集画面５０１のラベル寸法設定エリア５０３のラベル寸法設定部分、或いは、入力情報表示エリア５０４の目盛り部分等に、印字ラベルＬのラベル幅方向を意味する「ｗｉｄｔｈ」及びラベル高さ方向を意味する「ｈｅｉｇｈｔ」を表示してもよい。
【００２７】
本実施の形態において、入力情報表示エリア５０４に表示するテキストオブジェクトとは、テキスト編集領域枠Ｔの内側にテキストを重ね合わせた表示状態を意味する。なお、ラベル外形枠Ｌ’の表示寸法は、ラベル寸法設定エリア５０３で操作者が設定した印字ラベルＬのラベル寸法に対応するために、操作者が変更しない限り寸法固定で表示するのが望ましい。一方、テキスト編集領域枠Ｔの表示寸法及びテキストのフォントサイズは、テキスト編集設定エリア５０５で操作者が設定した機能に基づいて、例えば、操作部１４を介し順次入力されるテキストの文字数に応じて可変としている。なお、ＣＰＵ１２は、ラベル寸法設定エリア５０３で操作者が設定した印字ラベルＬのラベル寸法（Ｍｅｄｉａ）設定によってラベル外形枠Ｌ’の表示寸法を決定し、余白寸法（Ｍａｒｇｉｎ）設定によってラベル外形枠Ｌ’に対するテキスト編集領域枠Ｔの表示位置並びに表示寸法を決定しつつ、操作者が設定した機能に基づいて、操作部１４を介し順次入力されるテキストの文字数に応じて可変するようになっている。
【００２８】
＜各表示エリアの表示＞
編集画面５０１の選択エリア５０２では、例えば、編集画面５０１の全体の表示形式を設定する表示設定（Ｖｉｅｗ）、テキストオブジェクト等の表示倍率を設定するスケール設定（Ｓｃａｌｅ）、拡大・縮小設定するズーム設定（Ｚｏｏｍ）、印刷を実行させるプリント（Ｐｒｉｎｔ）、等のほかテキスト入力・画像貼り付け・面取り等の各種設定を行うことができるようになっている。
【００２９】
編集画面５０１のラベル寸法設定エリア５０３では、例えば、印字ラベルＬのラベル寸法設定（Ｍｅｄｉａ）や余白寸法設定（Ｍａｒｇｉｎ）を行うことができるようになっている。
【００３０】
なお、以下の説明において、操作者がラベル寸法設定エリア５０３でテキスト入力直前に設定したラベル寸法及び余白寸法を「寸法初期設定」と称する。
【００３１】
この設定により、ＣＰＵ１２は、編集画面５０１の入力情報表示エリア５０４に、上述した寸法初期設定のラベル外形枠Ｌ’とテキスト編集領域枠Ｔとを目盛りに合わせて表示させる。
【００３２】
編集画面５０１のテキスト編集設定エリア５０５では、例えば、フォント種類、フォントサイズ、太字・傾斜・下線・アウトライン等といったフォントに関する各種装飾設定のためのフォント設定（Ｆｏｎｔ）、左右中央或いは上中下等のテキスト編集領域枠Ｔに対する入力文字の位置を設定する位置設定（Ａｌｉｇｎｍｅｎｔ）、横書き・縦書き等のフォント挿入方向を設定するための挿入設定（Ｗｒｉｇｈｔｉｎｇ）等の各種設定を行うことができるようになっている。また、テキスト編集設定エリア５０５には、操作部１４を介して順次入力されるテキスト（の文字数・長さ）に連動して変化するテキストオブジェクトの表示態様設定（Ｃｏｎｔｒｏｌ）を行うためのコントロール欄５０６及び後述するモード別設定用画像をポップアップ表示させるためのポップアップアイコン（標識）５０７が表示されている。
【００３３】
なお、以下の説明において、操作者がテキスト編集設定エリア５０５でテキスト入力直前に設定したフォント設定を「フォント初期設定」と称する。また、上述した「寸法初期設定」と「フォント初期設定」とを含めた場合を「初期設定」と総称する。
【００３４】
コントロール欄５０６は、上下３段に分かれているとともに、各段に、テキストオブジェクトの表示機能を設定するためのラジオボタン（チェックボックス形式の矩形枠）と、各表示機能の内容説明文と、が表示されている。
【００３５】
具体的には、上段から順に、テキストオブジェクトのテープ長さ方向の寸法を伸縮させる第１機能を実行させるための第１ラジオボタン（Ａｄｊｕｓｔ  ｔｅｘｔ  ｂｏｘ  ｗｉｄｔｈ  ｂｙ  ｉｎｐｕｔ）５０６ａ、テキストオブジェクトのテープ幅方向の寸法を伸縮させる第２機能を実行させるための第２ラジオボタン（Ａｄｊｕｓｔ  ｔｅｘｔ  ｂｏｘ  ｈｅｉｇｈｔ  ｂｙ  ｉｎｐｕｔ）５０６ｂ、第１ラジオボタン５０６ａ及び第２ラジオボタン５０６ｂがどちらもチェックされていないときに、操作部１４を介し順次入力されるテキストの長さに応じて当該入力されるテキストをテキストオブジェクト（テキスト編集領域枠Ｔ）の枠内で折り返す第３機能を実行させるための第３ラジオボタン（Ｔｅｘｔ  ｗｒａｐｐｉｎｇ）５０６ｃ、が設けられている。なお、ここでの内容説明における、「ｗｉｄｔｈ」及び「ｈｅｉｇｈｔ」は、上述した印字ラベルＬを基準とする、ラベル幅方向を意味する「ｗｉｄｔｈ」及びラベル高さ方向を意味する「ｈｅｉｇｈｔ」である。
【００３６】
ここで、コントロール欄５０６では、上下３段のラジオボタン（第１ラジオボタン５０６ａ〜第３ラジオボタン５０６ｃ）が表示されているが、実際には、第１ラジオボタン５０６ａのみを設定している場合（第１機能）、第２ラジオボタン５０６ｂのみを設定している場合（第２機能）、第３ラジオボタン５０６ｃのみを設定している場合（第３機能）、に加えて第１ラジオボタン５０６ａ及び第２ラジオボタン５０６ｂの両方を設定している場合（第４機能）、及び、何れのラジオボタンも設定していない場合（第５機能）、の５つの機能が存在している。
【００３７】
＜第１機能（図４、図５）＞
図４（のチェックマーク）に示すように、第１ラジオボタン５０６ａのみを設定している第１機能では、操作者によって操作部１４を介し順次入力されるテキスト（の文字数）に応じて、入力されたテキスト（例えば、文字「ａｂｃ」）がテキストオブジェクトとしてテキスト編集領域枠Ｔの内側に順次表示される。
【００３８】
そして、図５に示すように、操作者によって操作部１４を介し順次入力されるテキスト（の文字数）がテキスト編集領域枠Ｔの設定上の表示限界を超えると、その入力したテキスト（の文字数）に応じて、順次テープ長さ方向にテキスト編集領域枠Ｔも延長されて表示される。
【００３９】
したがって、操作者は、寸法初期若しくはフォント初期設定が不十分であった旨を容易に認識することができる。これにより、操作者は、例えば、入力したテキストを優先したラベル寸法の設定変更（テープ長さ方向に長くする）、或いは、設定した印字ラベルＬの寸法を優先したフォントサイズの設定変更（フォントサイズを小さくする）、を行うことができる。
【００４０】
基本的には、操作者が設定したラベル寸法及び余白寸法は寸法初期設定で固定であるため、この状態のままラベル寸法或いはフォントサイズを変更しないで印字を実行すると、入力したテキストは、寸法初期設定におけるテキスト編集領域枠Ｔの内側に位置する一部のテキストのみが印字されることとなる。すなわち、入力したテキスト（の文字数）に応じて、順次テープ長さ方向にテキスト編集領域枠Ｔを延長したとしても、その延長は見掛け上（表示上）の注意喚起用として操作者に提示しているに過ぎない。
【００４１】
そこで、操作者は、例えば、入力したテキスト（のフォントサイズ及び文字数）を優先して、ラベル寸法設定エリア５０３のラベル寸法設定（Ｍｅｄｉａ）により印字ラベルＬのテープ長さを変更（余白寸法設定の調整可）することができる。この際、操作者は、入力情報表示エリア５０４の上縁に表示された目盛りを確認することにより、どれだけのテープ長さに設定すればよいかを一目で認識することができる。
【００４２】
また、操作者は、例えば、設定した印字ラベルＬの寸法を優先して、寸法初期設定のテキスト編集領域枠Ｔにテキストが収まるように、テキスト編集設定エリア５０５のフォント設定でフォントサイズ又はテキストの内容（文字数）を変更することができる。
【００４３】
なお、この第１ラジオボタン５０６ａのみを設定している場合、基本的には、操作者が設定（寸法初期設定）したラベル寸法及び余白寸法は固定であるが、ＣＰＵ１２は、例えば、フォントサイズ及び文字間隔を考慮しつつ、表示部１７を制御して自動的にラベル外形枠Ｌ’をテープ長さ方向に沿って伸長させると同時に、印字ラベルＬのテープ長さ方向の寸法（ラベル寸法設定エリア５０３のラベル寸法設定の数値）を自動的に変更してもよい。そのうえで、ＣＰＵ１２は、操作者がテキスト編集設定エリア５０５でフォントサイズを変更した場合には、テキスト編集領域枠Ｔに表示している表示フォントサイズの変更及び伸長させたラベル外形枠Ｌ’をテープ長さ方向に沿って収縮（又は伸長）させると同時に、印字ラベルＬのテープ長さ方向の寸法を自動的に変更してもよい。
【００４４】
＜第２機能（図６、図７）＞
図６（のチェックマーク）に示すように、第２ラジオボタン５０６ｂのみを設定している第２機能では、操作者によって操作部１４を介し順次入力されるテキスト（の文字数）に応じて、入力されたテキスト（例えば、文字「ａｂｃ」）がテキストオブジェクトとしてテキスト編集領域枠Ｔの内側に順次表示される。
【００４５】
そして、図７に示すように、操作者によって操作部１４を介し順次入力されるテキスト（の文字数）がテキスト編集領域枠Ｔの設定上の表示限界を超えると、その入力したテキスト（の文字数）に応じて、順次テープ幅方向にテキスト編集領域枠Ｔも延長されて以降のテキストも折り返すように表示される。
【００４６】
したがって、操作者は、寸法初期若しくはフォント初期設定が不十分であった旨を容易に認識することができる。これにより、操作者は、例えば、入力したテキストを優先したラベル寸法の設定変更（テープ幅方向に広くする）、或いは、設定した印字ラベルＬの寸法を優先したフォントサイズの設定変更（フォントサイズを小さくする）、を行うことができる。
【００４７】
基本的には、操作者が設定したラベル寸法及び余白寸法は寸法初期設定で固定であるため、この状態のままラベル寸法或いはフォントサイズを変更しないで印字を実行すると、入力したテキストは、寸法初期設定におけるテキスト編集領域枠Ｔの内側に位置する一部のテキストのみが印字されることとなる。すなわち、入力したテキスト（の文字数）に応じて、順次テープ幅方向にテキスト編集領域枠Ｔを延長したとしても、その延長は見掛け上（表示上）の注意喚起用として操作者に提示しているに過ぎない。
【００４８】
そこで、操作者は、例えば、入力したテキスト（のフォントサイズ及び文字数）を優先して、ラベル寸法設定エリア５０３のラベル寸法設定（Ｍｅｄｉａ）により印字ラベルＬのテープ幅を変更（余白寸法設定の調整可）することができる。この際、操作者は、テープ幅方向にラベル寸法を伸ばすことにより、１行内の文字数が増えて見掛け上の改行位置もずれていくため、文字数（見掛け上の行数）に応じたテープ幅を変更（余白寸法設定の調整可）することができる。この際、操作者は、入力情報表示エリア５０４の左側縁に表示された目盛りを確認することにより、どれだけのテープ幅に設定すればよいかを一目で認識することができる。なお、ラベル寸法のテープ幅を変更する場合とは、テープロール２０４を交換する場合を含む。
【００４９】
また、操作者は、例えば、設定した印字ラベルＬの寸法を優先して、寸法初期設定のテキスト編集領域枠Ｔにテキストが収まるように、テキスト編集設定エリア５０５のフォント設定でフォントサイズ又はテキストの内容（文字数）を変更することができる。
【００５０】
なお、この第２ラジオボタン５０６ｂのみを設定している場合、基本的には、操作者が設定（寸法初期設定）したラベル寸法及び余白寸法は固定であるが、ＣＰＵ１２は、例えば、フォントサイズ及び文字間隔（並びに行間隔）を考慮しつつ、表示部１７を制御して自動的にラベル外形枠Ｌ’をテープ幅方向に沿って伸長させると同時に、印字ラベルＬのテープ幅方向の寸法（ラベル寸法設定エリア５０３のラベル寸法設定の数値）を自動的に変更してもよい。そのうえで、ＣＰＵ１２は、操作者がテキスト編集設定エリア５０５でフォントサイズを変更した場合には、テキスト編集領域枠Ｔに表示している表示フォントサイズの変更及び伸長させたラベル外形枠Ｌ’をテープ幅方向に沿って収縮（又は伸長）させると同時に、印字ラベルＬのテープ幅方向の寸法を自動的に変更してもよい。
【００５１】
＜第３機能（図８、図９）＞
図８（のチェックマーク）に示すように、第３ラジオボタン５０６ｃのみを設定している第３機能では、操作者によって操作部１４を介し順次入力されるテキスト（の文字数）に応じて、入力されたテキスト（例えば、文字「ａｂｃ」）がテキストオブジェクトとしてテキスト編集領域枠Ｔの内側に順次表示される。なお、第３機能では、テープ長さ方向及びテープ幅方向の両方に対してテキスト編集領域枠Ｔの伸縮が（初期設定を変更しない限り）できない設定であるため、上記第１機能又は第２機能との併用はできないようになっている。したがって、第１機能または第２機能の少なくとも一方の機能を設定しているときには、第３機能を示す第３ラジオボタン５０６ｃはグレーアウト表示となっている。
【００５２】
そして、図９に示すように、操作者によって操作部１４を介し順次入力されるテキスト（の文字数）がテキスト編集領域枠Ｔの設定上の表示限界を超えると、その入力したテキスト（の文字数）に応じて、テキストをテキストオブジェクト（テキスト編集領域枠Ｔ）内で折り返すように表示される。
【００５３】
なお、ここでの折り返しとは、第２機能の場合の折り返しとは、厳密には異なる。すなわち、第２機能の折り返しは、テープ長さ方向の寸法は固定としたうえで、テープ幅方向に対してフォントサイズはそのままにテキスト編集領域枠Ｔを伸ばすように折り返している。
【００５４】
これに対し、この第３機能の折り返しとは、見掛け上の表示フォントサイズを小さくしたうえで、折り返すものである。したがって、上述した図８のように、テキスト３文字でテープ長さ方向のテキスト編集領域枠Ｔの設定上の表示限界に達した場合、テキスト４文字目が入力されたときにテープ幅方向に対してテキスト編集領域枠Ｔの設定上の表示限界を超えない範囲で２行に収まる表示フォントサイズを小さくする。例えば、初期設定においてテープ幅寸法２９ｍｍ、フォントサイズ７３ポイントであった場合、表示フォントサイズは３６ポイント以下等に設定されることとなる。ここで、表示フォントサイズが３６ポイント以下に小さくされると、実際にはテープ長さ方向に対してテキストの入る余裕ができる。このため、実際には、図９で示す例では、テキスト「ｇ」までは１行で収まることとなり、その次のテキスト「ｈ」の入力を受け付けたときに、初めて２行に表示される。また、この第３機能では、例えば、表示フォントサイズは、テープロール２０４のテープ幅に応じて、１行用・２行用・３行用・・・・ｎ行用（ただし、ｎは整数）と段階的に設定されており、初期フォント設定で設定したフォントサイズが、この段階的なフォントサイズと異なる場合には、そのフォントサイズで可能な行数を超えたときに、上述した段階的な各行用の表示フォントサイズに変更される。
【００５５】
したがって、操作者は、寸法初期若しくはフォント初期設定が不十分であった旨を容易に認識することができる。これにより、操作者は、例えば、入力したテキストを優先したラベル寸法の設定変更（テープ長さ方向に長くするテープ幅方向に広くする）、或いは、設定した印字ラベルＬの寸法を優先したフォントサイズの設定変更（フォントサイズを小さくする）、を行うことができる。
【００５６】
基本的には、操作者が設定したラベル寸法及び余白寸法は寸法初期設定で固定であるため、この状態のままラベル寸法或いはフォントサイズを変更しないで印字を実行すると、入力したテキストは、寸法初期設定におけるテキスト編集領域枠Ｔの内側に位置する一部のテキストのみが印字されることとなる。すなわち、入力したテキスト（の文字数）に応じて、表示フォントサイズを変更したとしても、その変更は見掛け上（表示上）のフォントサイズとして操作者に提示しているに過ぎない。
【００５７】
そこで、操作者は、例えば、入力したテキスト（のフォントサイズ及び文字数）を優先して、ラベル寸法設定エリア５０３のラベル寸法設定（Ｍｅｄｉａ）により印字ラベルＬのテープ長さ方向及びテープ幅を変更（余白寸法設定の調整可）することができる。この際、操作者は、テープ長さ方向及びテープ幅方向の少なくとも一方向にラベル寸法を伸ばすことにより、文字数に応じたラベル寸法とすることができる。
【００５８】
また、操作者は、例えば、設定した印字ラベルＬの寸法を優先して、寸法初期設定のテキスト編集領域枠Ｔにテキストが収まるように、テキスト編集設定エリア５０５のフォント設定でフォントサイズ又はテキストの内容（文字数）を変更することができる。
【００５９】
なお、この第３ラジオボタン５０６ｃのみを設定している場合、基本的には、操作者が設定（寸法初期設定）したラベル寸法及び余白寸法は固定であるが、ＣＰＵ１２は、例えば、フォントサイズ及び文字間隔（並びに行間隔）を考慮しつつ、表示部１７を制御して自動的にラベル外形枠Ｌ’をテープ長さ方向及びテープ幅方向の少なくとも一方向に伸長させると同時に、印字ラベルＬのテープ長さ方向及びテープ幅方向の少なくとも一方向に（ラベル寸法設定エリア５０３のラベル寸法設定の数値）を自動的に変更してもよい。そのうえで、ＣＰＵ１２は、操作者がテキスト編集設定エリア５０５でフォントサイズを変更した場合には、テキスト編集領域枠Ｔに表示している表示フォントサイズの変更及び伸長させたラベル外形枠Ｌ’をテープ長さ方向及びテープ幅方向の少なくとも一方向に沿って収縮（又は伸長）させると同時に、印字ラベルＬのテープ長さ方向及びテープ幅方向の少なくとも一方向の寸法を自動的に変更してもよい。
【００６０】
＜第４機能（図１０、図１１）＞
図１０（のチェックマーク）に示すように、第１ラジオボタン５０６ａ及び第２ラジオボタン５０６ｂを設定している第４機能では、操作者によって操作部１４を介し順次入力されるテキスト（の文字数）に応じて、入力されたテキスト（例えば、文字「ａｂｃｄ」）がテキストオブジェクトとしてテキスト編集領域枠Ｔの内側に順次表示される。
【００６１】
そして、図１１に示すように、操作者によって操作部１４を介し順次入力されるテキスト（の文字数）がテキスト編集領域枠Ｔの設定上の表示限界を超えると、その入力したテキスト（の文字数）に拘わらず、順次テープ長さ方向及びテープ幅方向の少なくとも一方にテキスト編集領域枠Ｔも延長されて表示される。なお、この場合の「設定上の表示限界を超える」とは、フォントサイズ等によって異なるが、例えば、図１１に示すように、１文字分だけ文字の一部がはみ出してしまう場合を含ませることができる。
【００６２】
したがって、操作者は、寸法初期若しくはフォント初期設定が不十分であった旨を容易に認識することができる。これにより、操作者は、例えば、入力したテキストを優先したラベル寸法の最小限のテープ長さ方向の寸法変更（伸ばす）がどのくらい必要であるかによって長くする（逆に短くする）又はテープ幅方向の寸法変更（広くする）、或いは、設定した印字ラベルＬの寸法を優先したフォントサイズの設定変更（フォントサイズを小さくする）、を行うことができる。
【００６３】
基本的には、操作者が設定したラベル寸法及び余白寸法は寸法初期設定で固定であるため、この状態のままラベル寸法或いはフォントサイズを変更しないで印字を実行すると、入力したテキストは、寸法初期設定におけるテキスト編集領域枠Ｔの内側に位置する一部のテキストのみが印字されることとなる。すなわち、入力したテキスト（の文字数）に応じて、順次テープ長さ方向及びテープ幅方向にテキスト編集領域枠Ｔを延長したとしても、その延長は見掛け上（表示上）の注意喚起用として操作者に提示しているに過ぎない。
【００６４】
そこで、操作者は、例えば、入力したテキスト（のフォントサイズ及び文字数）を優先して、ラベル寸法設定エリア５０３のラベル寸法設定（Ｍｅｄｉａ）により印字ラベルＬのテープ長さ又は幅の少なくとも一方を変更（余白寸法設定の調整可）することができる。この際、操作者は、入力情報表示エリア５０４の上縁又は左側縁に表示された目盛りを確認することにより、どれだけのテープ長さに設定すればよいかを一目で認識することができる。
【００６５】
また、操作者は、例えば、設定した印字ラベルＬの寸法を優先して、寸法初期設定のテキスト編集領域枠Ｔにテキストが収まるように、テキスト編集設定エリア５０５のフォント設定でフォントサイズ又はテキストの内容（文字数）を変更することができる。
【００６６】
なお、この第１ラジオボタン５０６ａ及び第２ラジオボタン５０６ｂを設定している場合、基本的には、操作者が設定（寸法初期設定）したラベル寸法及び余白寸法は固定であるが、ＣＰＵ１２は、例えば、フォントサイズ及び文字間隔を考慮しつつ、表示部１７を制御して自動的にラベル外形枠Ｌ’をテープ長さ方向及びテープ幅方向に沿って伸長させると同時に、印字ラベルＬのテープ長さ方向及びテープ幅方向の寸法（ラベル寸法設定エリア５０３のラベル寸法設定の数値）を自動的に変更してもよい。そのうえで、ＣＰＵ１２は、操作者がテキスト編集設定エリア５０５でフォントサイズを変更した場合には、テキスト編集領域枠Ｔに表示している表示フォントサイズの変更及び伸長させたラベル外形枠Ｌ’をテープ長さ方向に沿って収縮（又は伸長）させると同時に、印字ラベルＬのテープ長さ方向の寸法を自動的に変更してもよい。
【００６７】
＜第５機能（図１２、図１３）＞
図１２に示すように、何れのラジオボタンも設定していない第５機能では、操作者によって操作部１４を介し順次入力されるテキスト（の文字数）に応じて、入力されたテキスト（例えば、文字「ａｂｃ」）がテキストオブジェクトとしてテキスト編集領域枠Ｔの内側に順次表示される。
【００６８】
そして、図１３に示すように、操作者によって操作部１４を介し順次入力されるテキスト（の文字数）がテキスト編集領域枠Ｔの設定上の表示限界を超えると、その入力したテキスト（の文字数）の長さに応じて、テキストをテキストオブジェクト（テキスト編集領域枠Ｔ）内の表示フォントサイズを小さくするように表示される。なお、このテキストの表示フォントサイズを小さくする手順がサイズ低減表示手順となる。
【００６９】
なお、ここでの「表示フォントサイズを小さく」は、第３機能の場合の「表示フォントサイズを小さく」とは、厳密には異なる。すなわち、第３機能の表示フォントサイズは、寸法初期設定におけるテープ幅方向の広さに応じて複数行に折り返したときの行数に応じて表示フォントサイズを段階的に小さくしている。
【００７０】
これに対し、この第５機能の表示フォントサイズは、例えば、テキスト３文字でテープ長さ方向のテキスト編集領域枠Ｔの設定上の表示限界に達した場合、テキスト４文字目以降において１文字追加入力されるたびに、１行内でテキスト編集領域枠Ｔの設定上の表示限界に達するように表示フォントサイズを小さくする。例えば、フォント初期設定においてフォントサイズ７３ポイントであった場合、４文字目の表示フォントサイズは５４ポイント以下等、５文字目の表示フォントサイズは４４ポイント以下等、６文字目の表示フォントサイズは３６ポイント以下等・・・に設定されることとなる。
【００７１】
したがって、操作者は、寸法初期若しくはフォント初期設定が不十分であった旨を容易に認識することができる。これにより、操作者は、例えば、設定した印字ラベルＬの寸法を優先したフォントサイズの設定変更（フォントサイズを小さくする）、を行うことができる。なお、上記の例では、テープ幅方向に入りきる最大のフォントサイズを基準としてフォント初期設定をしている場合で説明しているため、１文字目〜３文字目まではその最大フォントサイズのまま表示フォントサイズとしているが、例えば、フォント初期設定のフォントサイズが、最大フォントサイズよりも小さい場合には、表示フォントサイズを最大表示フォントサイズに変更してもよい。また、このように文字数に応じて表示フォントサイズを変更した場合、操作者によるフォントサイズの変更を容易にするために、現在の表示フォントサイズを容易に認識できるようにすることも可能である。
【００７２】
＜本実施形態の特徴＞
ところで、コントロール欄５０６は、表示スペース等の問題から、編集画面表示手順である初期画面の状態では、テキスト入力に連動するテキストオブジェクトの表示態様を設定するための、上下３段の各段にラジオボタンと簡易的な内容説明文しか表示することができなかった。
【００７３】
このため、操作者は、モード設定時において、順次テキストを入力していったときのモード毎のテキストオブジェクトの変化がどのようになるのかといったテキスト入力態様を直感的に理解することができなかった。しかも、実際には、５つのテキスト入力態様（機能）があるにもかかわらず、３つのテキスト入力態様（機能）しかできない、といった誤認識から機能を有効に活用しきれないといった問題も発生していた。特に、第１及び第２機能に対して第３機能は排他制御となっているため、どのような入力態様となるのかの認識がより困難となっていた。そこで、テキスト入力態様のモード設定時に、テキスト入力態様の内容を容易に認識することができる程度に全て一覧表示することができれば、利便性を向上することができる。
【００７４】
そこで、本実施の形態では、テキスト編集設定エリア５０５のコントロール欄５０６の近傍に、ポップアップアイコン５０７を設けている。図１４に示すように、例えば、操作者によるマウス操作によってポップアップアイコン５０７をクリックすると（以下、この操作を単に「アイコン操作」とも称する。）、モード別設定用画像５０８がポップアップ表示される。なお、このモード別設定用画像５０８がポップアップ表示される手順が設定表示手順となる。
【００７５】
モード別設定用画像５０８は、上から順に、第１モード、第２モード、第３モード、第４モード、第５モードの５つのモードに対応する、各機能を表すモード設定画像（文字並びに図柄）、及び、各モードを設定（若しくは設定状態にあることを示す）モードラジオボタン５０８ａ〜５０８ｅが表示される。なお、モード別設定用画像５０８は、後述するように、第１〜第５機能と関連性を有していることから、少なくともコントロール欄５０６と表示部分が重ならないように表示されるのが望ましい。
【００７６】
これにより、第１モードラジオボタン５０８ａ〜第５モードラジオボタン５０８ｅを含むモード別設定画像５０８がポップアップ表示されたときに、編集画面５０１の第１ラジオボタン５０６ａ〜第３ラジオボタン５０６ｃが隠れないようにすることができる。この結果、操作者は、第１モードラジオボタン５０８ａ〜第５モードラジオボタン５０８ｅでのチェック結果と第１ラジオボタン５０６ａ〜第３ラジオボタン５０６ｃでのチェック結果との対応付けを、確実に視覚的に認識することができる。
【００７７】
また、例えば、表示スペースの制限により、編集画面５０１において、テキストオブジェクト（テキスト編集領域枠Ｔ）のテープ長さ方向の寸法を伸縮させる機能（第１機能）、テキストオブジェクト（テキスト編集領域枠Ｔ）のテープ幅方向の寸法を伸縮させる（第２機能）、テキストをテキストオブジェクト（テキスト編集領域枠Ｔの）内で折り返す機能（第３機能）、及び、それらに対応した第１ラジオボタン５０６ａ、第２ラジオボタン５０６ｂ、第３ラジオボタン５０６ｃの表示しかできない場合であっても、操作者が操作部１４を介して編集画面５０１中の適宜のポップアップアイコン５０７を操作することで、モード別設定画像５０８をポップアップ表示させることができる。以下、各機能と各モードとの関連性を詳述する。
【００７８】
＜第１モード＞
第１モードは、テキストオブジェクト（テキスト編集領域枠Ｔ）のテープ長さ方向寸法及びテープ幅方向の寸法をともに伸縮させるモードであり、上述した第４機能に対応する。
【００７９】
モード別設定用画像５０８の表示上の第１モードとしては、操作部１４を介し順次入力されるテキストに応じて、編集画面５０１に表示されるテキストオブジェクト（テキスト編集領域枠Ｔ）のテープ長さ方向の寸法及びテープ幅方向の寸法をともに伸縮させる第１モードの機能（第４機能）を表す第１モード設定画像として文字「Ｓｃａｌｅ  ｔｈｅ  ｔｅｘｔ  ｂｏｘ  ａｃｃｏｒｄｉｎｇ  ｔｏ  ｔｈｅ  ｉｎｐｕｔ  ｔｅｘｔ＊」並びにテキストオブジェクト（テキスト編集領域枠Ｔ）の伸縮許容方向を示す矢印・枠・テキストの図柄、及び、第１モードを設定するための第１モードラジオボタンを備える。
【００８０】
これにより、第１モードを実行するときには、図１４に示した画面で「Ｓｃａｌｅ  ｔｈｅ  ｔｅｘｔ  ｂｏｘ  ａｃｃｏｒｄｉｎｇ  ｔｏ  ｔｈｅ  ｉｎｐｕｔ  ｔｅｘｔ＊」の文字横の第１モードラジオボタン５０８ａを操作者がチェックすることにより（図１５参照）、図１６に示すように、テキストオブジェクトのテープ長さ方向寸法及びテープ幅方向の寸法をともに伸縮させることができる。なお、第１モードラジオボタン５０８ａのチェックに連動して、もともとコントロール欄５０６に設けられていた第１ラジオボタン５０６ａ、第２ラジオボタン５０６ｂ、第３ラジオボタン５０６ｃのうちの第１ラジオボタン５０６ａ及び第２ラジオボタン５０６ｂにも自動的に連動してチェックが入る。なお、この連動機能は、モード別設定用画像５０８とコントロール欄５０６とで相互に連動するように設定することができる。
【００８１】
＜第２モード＞
第２モードは、テキストオブジェクト（テキスト編集領域枠Ｔ）のテープ長さ方向の寸法を固定しつつテープ幅方向寸法を伸縮させるモードであり、上述した第２機能に対応する。
【００８２】
モード別設定用画像５０８の表示上の第２モードとしては、操作部１４を介し順次入力されるテキストに応じて、編集画面５０１に表示されるテキストオブジェクトのテープ長さ方向の寸法を固定しつつテープ幅方向の寸法を伸縮させる第２モードの機能（第２機能）を表す第２モード設定画像として文字「Ｅｘｔｅｎｄｅｄ  ｔｈｅ  ｔｅｘｔ  ｂｏｘ  ｖｅｒｔｉｃａｌｌｙ  ｉｆ  ｔｈｅ  ｉｎｐｕｔ  ｔｅｘｔ  ｉｓ  ｆｕｌｌ＊」並びにテキストオブジェクト（テキスト編集領域枠Ｔ）の伸縮許容方向を示す矢印・伸縮制限方向を示す鍵・枠・テキストの図柄、及び、第２モードを設定するための第２モードラジオボタン５０８ｂを備える。
【００８３】
これにより、第２モードを実行するときには、図１４に示した画面で「Ｅｘｔｅｎｄｅｄ  ｔｈｅ  ｔｅｘｔ  ｂｏｘ  ｖｅｒｔｉｃａｌｌｙ  ｉｆ  ｔｈｅ  ｉｎｐｕｔ  ｔｅｘｔ  ｉｓ  ｆｕｌｌ＊」の文字横の第２モードラジオボタン５０８ｂを操作者がチェックすることにより（図１７参照）、図１８に示すように、テキストオブジェクトのテープ長さ方向の寸法を固定しつつテープ幅方向の寸法を伸縮させることができる。なお、第２モードラジオボタン５０８ｂのチェックに連動して、もともとコントロール欄５０６に設けられていた第１ラジオボタン５０６ａ、第２ラジオボタン５０６ｂ、第３ラジオボタン５０６ｃのうちの第２ラジオボタン５０６ｂにも自動的に連動してチェックが入る。なお、この連動機能は、モード別設定用画像５０８とコントロール欄５０６とで相互に連動するように設定することができる。
【００８４】
＜第３モード＞
第３モードは、テキストオブジェクト（テキスト編集領域枠Ｔ）のテープ幅方向の寸法を固定しつつテープ長さ方向寸法を伸縮させるモードであり、上述した第１機能に対応する。
【００８５】
モード別設定用画像５０８の表示上の第３モードとしては、操作部１４を介し順次入力されるテキストに応じて、編集画面５０１に表示されるテキストオブジェクトのテープ幅方向の寸法を固定しつつテープ長さ方向の寸法を伸縮させる第３モードの機能（第１機能）を表す第３モード設定画像として文字「Ｅｘｔｅｎｄｅｄ  ｔｈｅ  ｔｅｘｔ  ｂｏｘ  ｈｏｒｉｚｏｎｔａｌｌｙ  ａｃｃｏｒｄｉｎｇ  ｔｏ  ｔｈｅ  ｉｎｐｕｔ  ｔｅｘｔ  ａｎｄ  ｓｈｒｉｎｋ  ｔｅｘｔ  ｂｙ  ｎｅｗ  ｌｉｎｅ＊」並びにテキストオブジェクト（テキスト編集領域枠Ｔ）の伸縮制限方向を示す鍵・伸縮許容方向を示す矢印・枠・テキストの図柄、及び、第３モードを設定するための第３モードラジオボタン５０８ｃを備える。
【００８６】
これにより、第３モードを実行するときには、図１４に示した画面で「Ｅｘｔｅｎｄｅｄ  ｔｈｅ  ｔｅｘｔ  ｂｏｘ  ｈｏｒｉｚｏｎｔａｌｌｙ  ａｃｃｏｒｄｉｎｇ  ｔｏ  ｔｈｅ  ｉｎｐｕｔ  ｔｅｘｔ  ａｎｄ  ｓｈｒｉｎｋ  ｔｅｘｔ  ｂｙ  ｎｅｗ  ｌｉｎｅ＊」の文字横の第３モードラジオボタン５０８ｃを操作者がチェックすることにより（図１９参照）、図２０に示すように、テキストオブジェクトのテープ幅方向寸法を固定しつつテープ長さ方向の寸法を伸縮させることができる。なお、第３モードラジオボタン５０８ｃのチェックに連動して、もともとコントロール欄５０６に設けられていた第１ラジオボタン５０６ａ、第２ラジオボタン５０６ｂ、第３ラジオボタン５０６ｃのうちの第１ラジオボタン５０６ａにも自動的に連動してチェックが入る。なお、この連動機能は、モード別設定用画像５０８とコントロール欄５０６とで相互に連動するように設定することができる。
【００８７】
＜第４モード＞
第４モードは、テキストオブジェクト（テキスト編集領域枠Ｔ）のテープ幅方向の寸法及びテープ長さ方向寸法を固定するモードであり、上述した第５機能に対応する。したがって、第４モードは、テキストの表示フォントサイズを小さくするサイズ低減表示手順となる。
【００８８】
モード別設定用画像５０８の表示上の第４モードとしては、編集画面５０１に表示されるテキストオブジェクトのテープ幅方向の寸法及びテープ長さ方向の寸法を固定する第４モードの機能（第５機能）を表す第４モード設定画像として文字「Ｓｈｒｉｎｋ  ｔｈｅ  ｉｎｐｕｔ  ｔｅｘｔ  ａｎｄ  ｐｕｔ  ｉｔ  ｉｎ  ｔｈｅ  ｔｅｘｔ  ｂｏｘ＊」並びにテキストオブジェクト（テキスト編集領域枠Ｔ）の伸縮制限方向を示す鍵・枠・テキストの図柄、及び、第４モードを設定するための第４モードラジオボタン５０８ｄを備える。
【００８９】
これにより、第４モードを実行するときには、図１４に示した画面で「Ｓｃａｌｅ  ｔｈｅ  ｔｅｘｔ  ｂｏｘ  ａｃｃｏｒｄｉｎｇ  ｔｏ  ｔｈｅ  ｉｎｐｕｔ  ｔｅｘｔ＊」の文字横の第４モードラジオボタン５０８ｄを操作者がチェックすることにより（図２１参照）、図２２に示すように、テキストオブジェクトのテープ長さ方向の寸法及びテープ幅方向寸法を固定することができる。なお、第４モードラジオボタン５０８ｄのチェックに連動して、もともとコントロール欄５０６に設けられていた第１ラジオボタン５０６ａ、第２ラジオボタン５０６ｂ、第３ラジオボタン５０６ｃの全ても自動的に連動してチェックが消える。なお、この連動機能は、モード別設定用画像５０８とコントロール欄５０６とで相互に連動するように設定することができる。
【００９０】
＜第５モード＞
第５モードは、テキストオブジェクト（テキスト編集領域枠Ｔ）のテープ幅方向の寸法及びテープ長さ方向寸法を固定しつつ、順次入力されるテキストの長さに応じて入力されるテキストをテキストオブジェクト内で折り返すモードであり、上述した第３機能に対応する。
【００９１】
モード別設定用画像５０８の表示上の第５モードとしては、操作部１４を介し順次入力されるテキストに応じて、編集画面５０１に表示されるテキストオブジェクトのテープ幅方向の寸法及びテープ長さ方向の寸法を固定しつつ、操作部１４を介し順次入力されるテキストの長さに応じて当該入力されるテキストをテキストオブジェクト内で折り返す第５モードの機能（第３機能）を表す第５モード設定画像として文字「Ｓｈｒｉｎｋ  ａｎｄ  ｗｒａｐ  ｔｈｅ  ｉｎｐｕｔ  ｔｅｘｔ  ａｎｄ  ｐｕｔ  ｉｔ  ｉｎ  ｔｈｅ  ｔｅｘｔ  ｂｏｘ＊」並びにテキストオブジェクト（テキスト編集領域枠Ｔ）の伸縮制限方向を示す鍵・枠・テキストの図柄、及び、第５モードを設定するための第５モードラジオボタン５０８ｅを備える。
【００９２】
これにより、第５モードを実行するときには、図１４に示した画面で「Ｓｈｒｉｎｋ  ａｎｄ  ｗｒａｐ  ｔｈｅ  ｉｎｐｕｔ  ｔｅｘｔ  ａｎｄ  ｐｕｔ  ｉｔ  ｉｎ  ｔｈｅ  ｔｅｘｔ  ｂｏｘ＊」の文字横の第５モードラジオボタン５０８ｅを操作者がチェックすることにより（図２３参照）、図２４に示すように、テキストオブジェクトのテープ長さ方向の寸法及びテープ幅方向寸法を固定し、かつテキストをテキストオブジェクトの内部で折り返すことができる。なお、第５モードラジオボタン５０８ｅのチェックに連動して、もともとコントロール欄５０６に設けられていた第１ラジオボタン５０６ａ、第２ラジオボタン５０６ｂ、第３ラジオボタン５０６ｃのうちの第３ラジオボタン５０６ｃにも自動的に連動してチェックが入る。なお、この連動機能は、モード別設定用画像５０８とコントロール欄５０６とで相互に連動するように設定することができる。
【００９３】
次に、ＣＰＵ１２が実行するモード別設定用画像処理ルーチンの一例を、図２８のフロー図を参照しつつ説明する。なお、以下の説明においては、操作者が操作端末２で編集アプリケーションを起動させた後のＣＰＵ１２による制御ルーチンの例で説明する。まず、ＣＰＵ１２は、ステップＳ１で表示部１７に編集画面５０１を表示させ、操作者による次の操作を待機する。ここで、ＣＰＵ１２は、編集画面５０１に表示した各欄・各アイコンを用いた操作者による操作を待機する。そして、ＣＰＵ１２は、ＲＯＭ（メモリ１３）又は大容量記憶装置１６に記憶したプログラムにしたがって、操作者による操作に対応する処理を実行する。以下においては、テキストオブジェクトの設定に関する操作以外の個々の操作に対するＣＰＵ１２による処理の詳細な説明は省略する。
【００９４】
次に、ＣＰＵ１２は、操作者によってラベル寸法設定エリア５０３の表示から実際に適用しようとしている印字ラベルＬのラベル寸法及び余白寸法を含む寸法初期設定並びにテキスト編集設定エリア５０５の表示からフォントサイズ等を含むフォント初期設定を含む初期設定に基づいて（ステップＳ２）、入力情報表示エリア５０４に、入力されたラベル寸法に対応したラベル外形枠Ｌ’と、ラベル外形枠Ｌ’の内側に余白寸法に応じたテキスト編集領域枠Ｔと、を目盛りに合わせるように表示する（ステップＳ３）。なお、ＣＰＵ１２は、テキスト入力位置を示すカーソルを表示してもよい。
【００９５】
一方、編集画面５０１のテキスト編集設定エリア５０５には、最初からコントロール欄５０６及びポップアップアイコン５０７が表示されている。ここで、ＣＰＵ１２は、コントロール欄５０６の３つの選択設定の組み合わせから、第１機能〜第５機能の何れの機能が選択されているのかを確認する（ステップＳ４）。なお、この確認は、例えば、第５機能のように、第１ラジオボタン５０６ａ〜第３ラジオボタン５０６ｃの何れも設定されていない場合を含むため、第１ラジオボタン５０６ａ〜第３ラジオボタン５０６ｃの何れかがチェックされているか否かを判定するのではなく、単なる確認であってよい。
【００９６】
そして、ＣＰＵ１２は、操作者によるテキスト入力操作があったか否かを判定し（ステップＳ５）、テキスト入力があった場合（Ｙｅｓ）には、ＣＰＵ１２は、ステップＳ６へと処理を移す。また、テキスト入力があったと判定しなかった場合（Ｎｏ）には、このルーチンを待機する。
【００９７】
そして、ＣＰＵ１２は、操作者によるポップアップアイコン５０７の選択操作があったか否かを判定し（ステップＳ６）、アイコン選択操作があった場合（Ｙｅｓ）には、ＣＰＵ１２は、モード別設定用画像５０８がポップアップ表示し（ステップＳ７）、アイコン選択操作があったと判定しなかった場合（Ｎｏ）には、ＣＰＵ１２は、例えば、ステップＳ５に処理を移す。なお、このモード別設定用画像５０８をポップアップ表示する手順が設定表示手順となる。
【００９８】
具体的に、設定表示手順では、ＣＰＵ１２は、表示部１７を制御して、操作部１４を介し順次入力されるテキストに応じて、編集画面５０１に表示されるテキストオブジェクト（テキスト編集領域枠Ｔ）のテープ長さ方向の寸法及びテープ幅方向の寸法をともに伸縮させる第１モードの機能を表す第１モード設定画像、及び、第１モードを設定するための第１モードラジオボタン５０８ａ；操作部１４を介し順次入力されるテキストに応じて、編集画面５０１に表示されるテキストオブジェクト（テキスト編集領域枠Ｔ）のテープ長さ方向の寸法を固定しつつテープ幅方向の寸法を伸縮させる第２モードの機能を表す第２モード設定画像、及び、第２モードを設定するための第２モードラジオボタン５０８ｂ；操作部１４を介し順次入力されるテキストに応じて、編集画面５０１に表示されるテキストオブジェクト（テキスト編集領域枠Ｔ）のテープ幅方向の寸法を固定しつつテープ長さ方向の寸法を伸縮させる第３モードの機能を表す第３モード設定画像、及び、第３モードを設定するための第３モードラジオボタン５０８ｃ；操作部１４を介し順次入力されるテキストに拘わらず、編集画面５０１に表示されるテキストオブジェクト（テキスト編集領域枠Ｔ）のテープ幅方向の寸法及びテープ長さ方向の寸法を固定する第４モードの機能を表す第４モード設定画像、及び、第４モードを設定するための第４モードラジオボタン５０８ｄ；操作部１４を介し順次入力されるテキストの長さに応じて、編集画面５０１に表示されるテキストオブジェクト（テキスト編集領域枠Ｔ）のテープ幅方向の寸法及びテープ長さ方向の寸法を固定しつつ、入力されるテキストをテキストオブジェクト（テキスト編集領域枠Ｔの）内で折り返す第５モードの機能を表す第５モード設定画像、及び、第５モードを設定するための第５モードラジオボタン５０８ｅ；を含むモード別設定画像５０８を表示する。
【００９９】
ここで、ＣＰＵ１２は、モード別設定用画像５０８の５つのモード設定状態を確認する（ステップＳ８）。なお、このルーチンは、厳密には５つのモードに対して、各モード順に選択されているか否かを判定するモードとなり、選択されていると判定されたモードをテキスト入力状態に応じて実行し（ステップＳ９）、以降テキストの追加入力を待機するためにステップＳ５へと処理を戻す。また、入力処理が終了した場合の、例えば、印刷実行やファイル保存処理等は操作者による割り込みルーチンとして処理される。
【０１００】
表示された編集画面５０１の第１ラジオボタン５０６ａ〜第３ラジオボタン５０６ｃのうち第１ラジオボタン５０６ａのみにチェックが入っている状態では、設定表示手順でポップアップ表示されたモード別設定画像５０８では、第３モードラジオボタン５０８ｃにチェックが入った状態で表示される。
【０１０１】
表示された編集画面５０１の第１ラジオボタン５０６ａ〜第３ラジオボタン５０６ｃのうち第２ラジオボタン５０６ｂのみにチェックが入っている状態では、設定表示手順でポップアップ表示されたモード別設定画像５０８では、第２モードラジオボタン５０８ｂにチェックが入った状態で表示される。
【０１０２】
表示された編集画面５０１の第１ラジオボタン５０６ａ〜第３ラジオボタン５０６ｃのうち第１ラジオボタン５０６ａ及び第２ラジオボタン５０６ｂのみにチェックが入っている状態では、設定表示手順でポップアップ表示されたモード別設定画像５０８では、第１モードラジオボタン５０８ａにチェックが入った状態で表示される。
【０１０３】
表示された編集画面５０１の第１ラジオボタン５０６ａ〜第３ラジオボタン５０６ｃのうち第３ラジオボタン５０６ｃのみにチェックが入っている状態では、設定表示手順でポップアップ表示されたモード別設定画像５０８では、第５モードラジオボタン５０８ｅにチェックが入った状態で表示される。
【０１０４】
表示された編集画面５０１の第１ラジオボタン５０６ａ〜第３ラジオボタン５０６ｃのすべてにチェックが入っていない状態では、設定表示手順でポップアップ表示されたモード別設定画像５０８では、第４モードラジオボタン５０８ｄにチェックが入った状態で表示される。
【０１０５】
このようにポップアック表示されたモード別設定画像５０８における第１モードラジオボタン５０８ａ〜第５モードラジオボタン５０８ｅのチェック内容と、編集画面５０１の第１ラジオボタン５０６ａ〜第３ラジオボタン５０６ｃのチェック内容とが連動して表示させるので、第１モードラジオボタン５０８ａ〜第５モードラジオボタン５０８ｅでのチェック結果が第１ラジオボタン５０６ａ〜第３ラジオボタン５０６ｃでのチェック結果とどのように対応しているか、を操作者が容易に理解することができる。
【０１０６】
したがって、操作者は、第１ラジオボタン５０６ａ〜第３ラジオボタン５０６ｃで選択設定可能な各機能において順次テキストを入力していったときに、テキスト編集領域枠Ｔと入力したテキストとの関連におけるテキストオブジェクトの変化について、対応するモード設定画像によって直感的に理解することができる。この結果、操作者が望むテキスト入力態様に対応して、容易にモード設定を行うことができる。
【０１０７】
なお、上述したように、ＣＰＵ１２は、コントロール欄５０６の各機能選択状態とモード別設定用画像５０８の各モード選択状態とで、その表示状態に連動関係を有するように制御することができる。
【０１０８】
したがって、ステップＳ７でポップアップアイコン５０７がアイコン操作されてモード別設定画像５０８がポップアップ表示されたときには、そのときの第１ラジオボタン５０６ａ〜第３ラジオボタン５０６ｃのチェック状態（全て未チェックの第５機能を含む）に応じて第１モードラジオボタン５０８ａ〜第５モードラジオボタン５０８ｅでのチェック状態を同期させることができる。
【０１０９】
同様に、モード別設定画像５０８がポップアップ表示された状態では、表示されている第１モードラジオボタン５０８ａ〜第５モードラジオボタン５０８ｅのいずれかに対するチェック状態が変動した場合、それに対応して第１ラジオボタン５０６ａ〜第３ラジオボタン５０６ｃのうち少なくとも１つに対するチェック状態も変動させることができる。
【０１１０】
逆に、モード別設定画像５０８がポップアップ表示された状態のまま、表示されている第１ラジオボタン５０６ａ〜第３ラジオボタン５０６ｃのいずれかに対するチェック状態が変動した場合、それに対応して第１モードラジオボタン５０８ａ〜第５モードラジオボタン５０８ｅのうち少なくとも１つに対するチェック状態も変動させることができる。
【０１１１】
これにより、モード別設定画像５０８がポップアップ表示された後に、当該モード別設定画像５０８の第１モードラジオボタン５０８ａ〜第５モードラジオボタン５０８ｅへのチェックを変更した場合であっても、第１モードラジオボタン５０８ａ〜第５モードラジオボタン５０８ｅでのチェック結果と第１ラジオボタン５０６ａ〜第３ラジオボタン５０６ｃでのチェック結果との対応付けを維持することができる。
【０１１２】
なお、本発明は、上記実施形態に限られるものではなく、その趣旨及び技術的思想を逸脱しない範囲内で種々の変形が可能である。以下、そのような変形例を順を追って説明する。
【０１１３】
（１）上述したように、実施形態では、テキストボックス（テキスト編集領域枠Ｔ）は印字ラベルＬに対応する印字ラベル画像Ｌ’の外形とは全く無関係に伸縮させるものである。これに対して、例えば、図２５に示すように、コントロール欄５０６の上４段目として新たに設けた第４ラジオボタン「Ｃｏｎｔｒｏｌ  ｔｅｘｔ  ｂｏｘ  ｗｉｔｈｉｎ  ｌａｂｅｌ  ｉｍａｇｅ」をチェックすることで、テキストボックスのテープ長さ方向の伸縮を、「ラベル外形枠Ｌ’」に制限することもできる、そしてこの場合、図２５に示すようにテキスト「ａ」だけを入力している場合はテキストボックスの大きさがラベル外形線に対して十分に小さいので、第１モードラジオボタン５０８ａ〜第５モードラジオボタン５０８ｅのいずれも設定可能できるようする。
【０１１４】
一方、図２６に示すように、テキスト（の文字数）がテキスト編集領域枠Ｔの設定上の表示限界を超える位置、にまで入力された場合はテキストボックスの長さ方向寸法がラベル外形線とほぼ同じ限界に達した（フォントサイズを基準としてあと１文字が入らないなど）ので、テープ長さ方向に対するテキストボックスの伸縮を許容するモードである第１モード及び第３モードの設定が制限されるようにグレーアウト表示に切り替えられ、その他の第２モード、第４モード、第５モードの設定が許容されるようにしてもよい。なお、第１モード及び第３モードの設定を制限する（チェックできないようにする）手順がチェック制限表示手順となる。
【０１１５】
これにより、順次入力されるテキストの長さが所定の制限値に達した場合には、それ以降は、テキストオブジェクト（テキスト編集領域枠Ｔ）のテープ長さ方向の寸法及びテープ幅方向の寸法をともに伸縮させるモード（第１モード）、テキストオブジェクト（テキスト編集領域枠Ｔ）のテープ幅方向の寸法を固定しつつテープ長さ方向の寸法を伸縮させるモード（第３モード）、については機能させることができないことを、操作者に確実に報知することができる。
【０１１６】
（２）また、第４ラジオボタンを設け、上述したテキストボックスの伸縮を「ラベル外形枠Ｌ’の範囲内」に制限した場合、テキスト「ａｂｃ」まで入力されてテキストボックスの長さ方向寸法がラベル外形線とほぼ同じ限界に達した以降は、図２７に示すように、テキスト「ａｂｃ・・」の表示フォントサイズを順次小さくしていくことによって、上記グレーアウトは行うことなく引き続き第１モードラジオボタン５０８ａ〜第５モードラジオボタン５０８ｅのすべての選択を可能としてもよい。なお、このテキストの表示フォントサイズを小さくする手順がサイズ低減表示手順となる。
【０１１７】
これにより、順次入力されるテキストの長さが所定の制限値（例えば、テキスト編集領域枠Ｔにおけるラベルの長さ方向の初期設定値）に達した場合であっても、それ以降、テキストオブジェクト（テキスト編集領域枠Ｔの）内のフォントサイズを適宜に小さくすることで、テキストオブジェクト（テキスト編集領域枠Ｔ）のテープ長さ方向の寸法及びテープ幅方向の寸法をともに伸縮させるモード（第１モード）、テキストオブジェクト（テキスト編集領域枠Ｔ）のテープ長さ方向の寸法を固定しつつテープ幅方向の寸法を伸縮させるモード（第２モード）、テキストオブジェクト（テキスト編集領域枠Ｔ）のテープ幅方向の寸法を固定しつつテープ長さ方向の寸法を伸縮させるモード（第３モード）、テキストオブジェクト（テキスト編集領域枠Ｔ）のテープ幅方向の寸法及びテープ長さ方向の寸法を固定するモード（第４モード）、テキストをテキストオブジェクト（テキスト編集領域枠Ｔの）内で折り返すモード（第５モード）、のいずれのモードも機能させることができることを、操作者に確実に報知することができる。
【０１１８】
（３）また、図１４等に示すように、モード別設定用画像５０８を表示する場合以外、すなわち、コントロール欄５０６に、第１モード〜第５モードに関する文字や図柄等を非ポップアップ方式で表示してもよい。
【０１１９】
なお、以上において、図６０に示すフローチャートは、本発明を上記フローに示す手順に限定するものではなく、発明の趣旨及び技術的思想を逸脱しない範囲内で手順の追加・削除又は順番の変更等をしてもよい。例えば、上述した手順において、ＣＰＵ１２は、操作者の操作に連動して処理する各手順は、操作者の操作に依存する割り込みルーチンとして処理することができる。
【０１２０】
したがって、ＣＰＵ１２が処理を実行する、ステップＳ２による各枠の表示ルーチンとステップＳ３によるテキストオブジェクトの表示態様設定ルーチンとは、逆でもよい。また、ステップＳ２のルーチンが先に実行されていれば、ステップＳ３によるルーチンとステップＳ４によるテキスト入力に連動するテキスト表示（文字表示）とは逆でもよい。
【０１２１】
その他、一々例示はしないが、本発明は、その趣旨を逸脱しない範囲内において、種々の変更が加えられて実施されるものである。
【符号の説明】
【０１２２】
２                    操作端末（編集装置）
３                    印字ラベル作成装置
１２                  ＣＰＵ
１４                  操作部（操作手段）
１７                  表示部（表示手段）
２０３                被印字テープ
５０１                編集画面
５０６                コントロール欄
５０６ａ              第１ラジオボタン
５０６ｂ              第２ラジオボタン
５０６ｃ              第３ラジオボタン
５０８                モード別設定用画像
５０８ａ              第１モードラジオボタン
５０８ｂ              第２モードラジオボタン
５０８ｃ              第３モードラジオボタン
５０８ｄ              第４モードラジオボタン
５０８ｅ              第５モードラジオボタン
Ｌ                    印字ラベル
Ｌ’                  印字ラベル枠
Ｔ                    テキスト編集領域枠（テキストオブジェクト）
【図１】
2019053586.tif 000003
【図２】
2019053586.tif 000004
【図３】
2019053586.tif 000005
【図４】
2019053586.tif 000006
【図５】
2019053586.tif 000007
【図６】
2019053586.tif 000008
【図７】
2019053586.tif 000009
【図８】
2019053586.tif 000010
【図９】
2019053586.tif 000011
【図１０】
2019053586.tif 000012
【図１１】
2019053586.tif 000013
【図１２】
2019053586.tif 000014
【図１３】
2019053586.tif 000015
【図１４】
2019053586.tif 000016
【図１５】
2019053586.tif 000017
【図１６】
2019053586.tif 000018
【図１７】
2019053586.tif 000019
【図１８】
2019053586.tif 000020
【図１９】
2019053586.tif 000021
【図２０】
2019053586.tif 000022
【図２１】
2019053586.tif 000023
【図２２】
2019053586.tif 000024
【図２３】
2019053586.tif 000025
【図２４】
2019053586.tif 000026
【図２５】
2019053586.tif 000027
【図２６】
2019053586.tif 000028
【図２７】
2019053586.tif 000029
【図２８】
2019053586.tif 000030